(57)【要約】【課題】木造建物の柱と土台、梁等により囲まれる開口部の寸法に差異があっても隙間なく取付けられて耐震強度を向上させると共に、取付けに要する時間の短縮と労力の軽減を図る。【解決手段】上下左右に逆Ｌ字状とＬ字状の四つのフレーム部材１，２，３，４を対称にして配し、各フレーム部材１，２，３，４の端部と端部をそれぞれ継部材５，５，５，５で継ぎ合わせて上下左右に伸縮自在なフレームにして、該フレームの内側四隅より引張調整可能な筋交いブレース６，６を対角状に張設し、フレームの下方部内側にホールダウンアンカーボルトの挿通穴を穿設したブロック７を設け、各フレーム部材１，２，３，４の内側上に、間柱止着用のプレート８，８，８，８を設けた耐震補強フレームにして、木造建物の柱と土台、梁等で囲まれる開口部に隙間なく密着させて止着する。【選択図】図１
2006328845.tif 000002
【特許請求の範囲】
【請求項１】
上下左右に逆Ｌ字状とＬ字状の四つのフレーム部材を対称にして配し、各フレーム部材の端部と端部をそれぞれ継部材で継ぎ合わせて上下左右に伸縮自在な矩形のフレームにすると共に、該フレームの内側四隅より対角状に引張調整可能な筋交いブレースを張設して構成されてなることを特徴とする木造建物の耐震補強フレーム。
【請求項２】
フレームの下方部フレーム部材の左右いずれか片内側に、ホールダウンアンカーボルトの挿通穴を穿設したブロックを設けてなることを特徴とする請求項１記載の木造建物の耐震補強フレーム。
【請求項３】
フレームの内側上下に、間柱止着用のプレートを設けてなることを特徴とする請求項１又は請求項２記載の木造建物の耐震補強フレーム。
【請求項４】
フレームの各フレーム部材と継部材の外面に大小二つの取付穴を交互に多数穿設すると共に、内面には取付け作業用の長穴を多数穿設してなることを特徴とする請求項１乃至請求項３のいずれか１項に記載の耐震補強フレーム。
【請求項５】
上下左右に逆Ｌ字状とＬ字状の四つのフレーム部材を対称にして配し、各フレーム部材の端部と端部をそれぞれ継部材で継ぎ合わせて上下左右に伸縮自在にした矩形のフレームを、木造建物の柱と土台、梁等により囲まれる開口部に嵌め込み、各フレーム部材が柱と土台、梁等の内面に隙間なく密着するようにして止着し、フレームの下方部を土台下のコンクリート基礎にホールダウンアンカーボルト止着して施工することを特徴とする木造建物の耐震補強フレームによる耐震補強工法。
【請求項６】
フレームの内側上下にプレートを設け、間柱に取付け止着して施工することを特徴とする請求項５記載の木造建物の耐震補強フレームによる耐震補強工法。
【発明の詳細な説明】
【技術分野】
【０００１】
本発明は、木造建物の土台と梁や軒桁等の間に立設された柱と柱の間に嵌め込み施工して耐震補強するための耐震補強フレーム及び耐震補強フレームによる耐震補強工法に関する。
【背景技術】
【０００２】
木造建物においては、従来よりコンクリート基礎上に固定された木製の土台と上方に横架された木製の梁や軒桁の間の柱と柱の間に木製の筋交いプレートを対角状に嵌め込んで釘止めし、各接合部は金属製プレート等の金物を釘やボルト等で止めたりして耐震補強するやり方が一般的に行われ、周知されている。
【０００３】
又、既設木造建物の開口部内に、四周の外枠と筋違い（筋交い）を軽量鉄骨で組立てて取付けた着脱式耐震装置（枠体）が開示され（特許文献１参照）、既存建物のコンクリート基礎と土台、柱、２階梁の部分に、外側から当てて取付けるようにした鋼製受け梁と鋼製筋かいフレームにより耐震補強をなす架構が開示されており（特許文献２参照）、更に左右一対の縦フレームと上下一対の横フレームを端部において連結した枠体の上下中間部の内側面間に中間フレームを連結し、該中間フレームの中央部に低降伏点鋼を設け、該降伏点鋼の四隅と前記枠体の四隅とをＸ字状にブレース（筋交い）連結した鋼製の耐力壁が開示されている（特許文献３参照）。
【特許文献１】特開２００２−２２７４２６号公報
【特許文献２】特開平１１−３６６１１号公報
【特許文献３】特開２００１−９０３７６号公報
【発明の開示】
【発明が解決しようとする課題】
【０００４】
しかしながら、上記筋交いプレートを対角状に嵌め込んで釘止めし、各接合部に金属製プレート等の金物を釘やボルト等で止めたりして耐震補強するやり方は、地震等の激しい揺れを繰り返し受けると、金物が曲がったり、釘やボルトが抜けたりして、充分に補強し得ない問題点がクローズアップされているほか、筋交いプレートの仮付けや本付け、各接合部への金物の取付け箇所が多く、取付けるのにかなりの時間と労力を要することから、手抜きされるなどの問題点を有している。
【０００５】
又、上記特許文献１、特許文献２、特許文献３に記載される技術は、枠体の四方が固定されたものであり、特許文献１、特許文献３の如きは、建物の柱と柱、土台と梁等に囲まれた開口部内側に嵌め込んで取付けるようになっているが、開口部内側の寸法は一定しているものではなく、数ｍｍ〜数ｃｍ程度の差異はあるものであり、その都度寸法に合わせて製作するとなれば面倒で手間がかかるほか、枠体と柱、土台、梁との間に隙間が生ずると、充分な耐震補強強度が得られないなどの問題点があり、特許文献２の如きは、鋼製のフレームによる耐震補強架構を建物の外側から壁材や抱き合わせコンクリートを介して柱や土台、梁及び土台下のコンクリート基礎に取付けるようになっており、強力な鋼製の枠体で柱や土台、梁等を直接突張って支持できない構造上の問題点がある。
【０００６】
よって、本発明は、上記問題点に鑑み、柱や土台、梁等により囲まれた開口部内側の寸法に多少の寸法差異があっても、柱や土台、梁等により囲まれた開口部内側に隙間なく密着できるようにして嵌め込み、耐震補強強度を向上させる木造建物の耐震補強フレーム及び耐震補強フレームによる耐震補強工法を提供することを課題とするものである。
【課題を解決するための手段】
【０００７】
上記課題を達成するため、本発明は以下に記載するような手段を講じてなる木造建物の耐震補強フレーム及び耐震補強フレームによる耐震補強工法とするものである。
すなわち、
（１）上下左右に逆Ｌ字状とＬ字状の四つのフレーム部材を対称にして配し、各フレーム部材の端部と端部をそれぞれ継部材で継ぎ合わせて上下左右に伸縮自在な矩形のフレームにすると共に、該フレームの内隅四隅より対角状に引張調整可能な筋交いブレースを張設して構成されてなることを特徴とする木造建物の耐震補強フレーム。
（２）フレームの下方部フレーム部材の左右いずれか片内側に、ホールダウンアンカーボルトの挿通穴を穿設したブロックを設けてなることを特徴とする前項（１）記載の木造建物の耐震補強フレーム。
（３）フレームの内側上下に、間柱止着用のプレートを設けてなることを特徴とする前項（１）又は（２）記載の木造建物の耐震補強フレーム。
（４）フレームの各フレーム部材と継部材の外面に大小二つの取付穴を交互に多数穿設すると共に、内面には取付け作業用の長穴を多数穿設してなることを特徴とする前項（１）〜（３）のいずれか１項に記載の耐震補強フレーム。
（５）上下左右に逆Ｌ字状とＬ字状の四つのフレーム部材を対称にして配し、各フレーム部材の端部と端部をそれぞれ継部材で継ぎ合わせて上下左右に伸縮自在にした矩形のフレームを、木造建物の柱と土台、梁等により囲まれる開口部に嵌め込み、各フレーム部材が柱と土台、梁等の内面に隙間なく密着するようにして止着し、フレームの下方部を土台下のコンクリート基礎にホールダウンアンカーボルト止着して施工することを特徴とする木造建物の耐震補強フレームによる耐震補強工法。
（６）フレームの内側上下にプレートを設け、間柱に取付け止着して施工することを特徴とする前項（５）記載の木造建物の耐震補強フレームによる耐震補強工法。
【発明の効果】
【０００８】
上記手段にて記載する如く、本発明は、上下左右に逆Ｌ字状とＬ字状の四つのフレーム部材を対称にして配し、各フレーム部材の端部と端部をそれぞれ継部材で継ぎ合わせて上下左右に伸縮自在な矩形のフレームにすると共に、該フレームの内側四隅より対角状に引張調整可能な筋交いブレースを張設して構成され、木造建物の柱と土台、梁等により囲まれる開口部に嵌め込み、各フレーム部材が柱と土台、梁等に隙間なく密着するようにして止着されるから、従来の木造建物における筋交いプレートの仮付けや本付け、及び各接合部への金物の取付けが不用となり、取付けに要する時間の短縮と労力が軽減されると共に、鋼製のフレームにして木造建物の柱や土台、梁等の内側に隙間なく密着して一体化し、突張った状態で強固に支持されるから、耐震補強強度を大幅に向上させることが可能となる効果を奏する。
【０００９】
又、フレームの下方部フレーム部材の左右いずれか片内側に、ホールダウンアンカーボルトの挿通穴を穿設したブロックを設けて、土台下のコンクリート基礎とフレームをアンカーボルトで固定することによりフレームがコンクリート基礎にしっかりと支持される効果を奏する。
【００１０】
更に、フレームの内側上下に、間柱止着用のプレートを設けて間柱に止着するようにすることにより、壁の仕上げ及び強度の向上に好ましい効果を奏する。
【発明を実施するための最良の形態】
【００１１】
本発明を実施するための最良の形態は、上下左右に逆Ｌ字状とＬ字状の鋼製のフレーム部材を対称にして配し、各フレーム部材の端部と端部をそれぞれ鋼製の継部材で継ぎ合わせて上下左右に伸縮自在な矩形のフレームにし、該フレームの内側四隅より対角状に引張調整可能な鋼製の筋交いブレースを張設して構成し、木造建物の柱と土台、梁等により囲まれる開口部に嵌め込み、各フレーム部材が柱と土台、梁等に隙間なく密着するようにして止着すると共に、フレームの下方部フレーム部材の左右いずれか片内側に、ホールダウンアンカーボルトの挿通穴を穿設したブロックを設けて、土台下のコンクリート基礎にホールダウンアンカーボルト止着し、フレームの内側上下にプレートを設けて間柱に止着するようにした実施形態である。以下実施例にて図面を参照して説明する。
【実施例１】
【００１２】
図１は、本発明に係る木造建物の耐震補強フレームの実施例を示す斜視図である。図示するように、上下左右に逆Ｌ字状とＬ字状の四つのフレーム部材１，２，３，４を対称にして配し、各フレーム部材１，２，３，４の端部と端部をそれぞれ継部材５，５，５，５で継ぎ合わせて上下左右（矢印方向）に伸縮自在な矩形のフレームＦにし、該フレームの内側四隅より引張調整可能な筋交いブレース６，６が対角状に張設してあり、フレームＦの下方部片内側（本実施例ではフレーム部材２）にはホールダウンアンカーボルトの挿通穴を穿設したブロック７を設け、各フレーム部材１，２，３，４の内側上下には、間柱止着用のプレート（ステー）８，８，８，８が設けてある。
【００１３】
フレーム部材１は、図２に示すように一般的に使用される鋼製のリップみぞ形鋼を使用して逆Ｌ字状に成形され、外面にはラグスクリューボルトやナット締め貫通ボルト等で強力にねじ締めして取付けるための大取付穴１ａ，…と、釘や普通の木ネジ等で取付けるための小取付穴１ｂ，…とが交互に多数穿設され、内面にはラグスクリューボルトやナット締め貫通ボルト、釘、木ネジ等を内側から挿入して作業を行うための長穴１ｃ，…が穿設され、端部には継部材で伸縮自在に継ぎ合わせて取付けるための長穴１ｄ，１ｄと１ｅ，１ｅが穿設されている。
【００１４】
又、間柱の位置に合わせて上方から内側下方へ間柱止着用のプレート（ステー）８が設けられ、ラグスクリューボルト等で間柱に取付け止着するための取付穴８ａが穿設されており、角隅部には補強板９を設けて、筋交いブレースの端部を引掛けるための引掛穴９ａが穿設されている。
【００１５】
フレーム部材２は、図３に示すように一般的に使用される鋼製のリップみぞ形鋼を使用してＬ字状に成形され、前記図２とは反対勝手（対称）となっており、外面にはラグスクリューボルトやナット締め貫通ボルト等で強力にねじ締めして取付けるための大取付穴１ａ，…と、釘や普通の木ネジ等で取付けるための小取付穴１ｂ，…とが交互に多数穿設され、内面にはラグスクリューボルトやナット締め貫通ボルト、釘、木ネジ等を内側から挿入して作業を行うための長穴１ｃ，…が穿設され、端部には継部材で伸縮自在に継ぎ合わせて取付けるための長穴１ｄ，１ｄ，１ｅ，１ｅが穿設されている。
【００１６】
又、間柱の位置に合わせて下方から内側上方へ間柱止着用のプレート（ステー）８が設けられ、ラグスクリューボルト等で間柱に取付け止着するための取付穴８ａが穿設されており、角隅部には補強板９を設けて、筋交いブレースの端部を引掛けるための引掛穴９ａが穿設されていると共に、ブロック７を設けて、ホールダウンアンカーボルトを挿通するための挿通穴７ａが穿設されている。
【００１７】
フレーム部材３は、前記図２と反対勝手（対称）に製作し、フレーム部材４は、前記図２と同一に製作すれば良いから図示されていない。
そして、上下左右に前記逆Ｌ字状とＬ字状の四つのフレーム部材１，２，３，４を対称にして配し、各フレーム部材の端部と端部をそれぞれ継部材５，５，５，５で継ぎ合わせると矩形のフレームが形成され、筋交いブレース６，６の端部をフレーム部材１，２，３，４の角隅に設けた補強板９，９，９，９の引掛穴９ａ，９ａ，９ａ，９ａに引掛けて張設すると図１の如くなる。
【００１８】
継部材５は、図４に示すように、前記フレーム部材１，２，３，４より外径の小さい鋼製のリップみぞ形鋼を使用したストレートな継部材であり、フレーム部材１，２，３，４の各端部の内径にスムーズに嵌入するような寸法の部材を選択して、外面にはラグスクリューボルトやナット締め貫通ボルト等で取付けるための大取付穴５ａ，…と、釘や普通の木ネジ等で取付けるための小取付穴５ｂ，…が穿設され、内面にはラグスクリューボルトやナット締め貫通ボルト、釘、木ネジ等を内側から挿入して取付け作業するための長穴５ｃ，５ｃが穿設されている。継部材５はフレーム部材１，２，３，４の端部に長く挿入されるのが安定した支持を得るのに望ましい。
【００１９】
なお、前記フレーム部材１，２，３，４及び継部材５は、本実施例では一般的に使用されている鋼製のリップみぞ形鋼を使用して製作するとしたが、これに限定するものではない。角鋼管で製作しても良く、又鋼製でなく剛性のある他の金属や非金属性であっても良い。
【００２０】
筋交いブレース６は、ターンバックル等の引張調整部材６ａと両端部のフック６ｂ，６ｂとが丸棒材６ｃ，６ｃで連結され、連結部が左右の螺子で螺合されていて引張調整部材６ａを回すことにより伸縮して引張具合が調整できるようにしてあり、市販されたものを利用することもできる。
【００２１】
図５は、以上のようにしてなる耐震補強フレームを木造建物の柱１０，１０と土台１１，梁１２で囲まれる開口部に嵌め込んで止着した施工例を示す縦断面図である。フレーム部材１，２，３，４の端部には継部材５，５，５，５が嵌入されていて、フレーム部材１，２，３，４の外面が柱１０，１０と土台１１、梁１２の内側面に隙間なく密着した状態でラグスクリューボルト１３，…やナット締め貫通ボルト１３ａ、釘１４，…等で取付け止着され、継部材５，５，５，５もラグスクリューボルトやナット締め貫通ボルト等で止着された状態となっている。
【００２２】
又、下方のフレーム部材２に設けられたブロック７の挿入穴７ａには、ホールダウンアンカーボルト１５が挿通されて下方部が土台１１下のコンクリート基礎１６に固着され、上端部はナット１５ａで締め付けられて、筋交いブレース６，６の両端部のフック６ｂ，６ｂ，６ｂ，６ｂを四隅の補強板９，９，９，９の引掛穴９ａ，９ａ，９ａ，９ａに引掛け、引張調整部材６ａ，６ａにより引張調整されており、間柱１７，１７には、フレームの内側上下に設けられたプレート（ステー）８，８，８，８がラグスクリューボルト等で止着されている。
【産業上の利用可能性】
【００２３】
本発明は、木造建物の柱や土台、梁等で囲まれる開口部に取付けて耐震強度を向上させるのに利用するのみならず、土台と床下の大引等で囲まれる開口部に取付けて利用することも可能であり、木造建物の床下の耐震強度を向上させることもできる。
【図面の簡単な説明】
【００２４】
【図１】本発明に係る木造建物の耐震補強フレームの実施例を示す斜視図である。
【図２】フレーム部材の斜視図である。
【図３】フレーム部材の斜視図である。
【図４】継部材の斜視図である。
【図５】本発明の施工例を示す縦断面図である。
【符号の説明】
【００２５】
Ｆ  フレーム
１，２，３，４  フレーム部材
１ａ，５ａ  大取付穴
１ｂ，５ｂ  小取付穴
１ｃ，１ｄ，１ｅ，５ｃ  長穴
５  継部材
６  筋交いブレース
６ａ  引張調整部材
６ｂ  フック
６ｃ  丸棒材
７  ブロック
７ａ  挿通穴
８  プレート（ステー）
８ａ  取付穴
９  補強板
９ａ  引掛穴
１０  柱
１１  土台
１２  梁
１３  ラグスクリューボルト
１３ａ  ナット締め貫通ボルト
１４  釘
１５  ホールダウンアンカーボルト
１５ａ  ナット
１６  コンクリート基礎
１７  間柱
【図１】
2006328845.tif 000003
【図２】
2006328845.tif 000004
【図３】
2006328845.tif 000005
【図４】
2006328845.tif 000006
【図５】
2006328845.tif 000007